(57)【要約】  複数のレンズを保持するレンズ枠の側面にスリットを設け、このスリットに、羽根駆動装置の羽根が収容される差し込み部を挿入する撮像用羽根駆動装置において、差し込み部を円滑にスリットに挿入できるようにすることで、組み付けの作業性を改善する。撮像用羽根駆動装置は、複数のレンズを保持するレンズ枠と、レンズ枠に組み付けられる羽根駆動装置を備え、レンズ枠は、前側のレンズが保持される前枠部と、前枠部に対して拡径された段部を有して後側のレンズが保持される後枠部と、段部に沿って前枠部の側面に形成されている一対のスリットと、スリットの外側で前枠部と後枠部を連結する連結部とを備え、羽根駆動装置は、枠体と、レンズの光軸上に配置される開口を有すると共に羽根を収容し、スリットに挿入されるべく枠体から突出した差し込み部を備え、枠体は、後枠部の光軸方向と垂直な面と当接する当接面を備える。
2019065540.tif 000002
【特許請求の範囲】
【請求項１】
複数のレンズを保持するレンズ枠と、該レンズ枠に組み付けられる羽根駆動装置を備え、
前記レンズ枠は、
前側のレンズが保持される前枠部と、
該前枠部に対して拡径された段部を有して後側のレンズが保持される後枠部と、
前記段部に沿って前記前枠部の側面に形成されている一対のスリットと、
前記スリットの外側で前記前枠部と前記後枠部を連結する連結部とを備え、
前記羽根駆動装置は、
枠体と、
前記レンズの光軸上に配置される開口を有すると共に前記羽根を収容し、前記スリットに挿入されるべく前記枠体から突出した差し込み部を備え、
前記枠体は、前記後枠部の光軸方向と垂直な面と当接する当接面を備えることを特徴とする撮像用羽根駆動装置。
【請求項２】
前記連結部は、前記スリットへの挿入方向に平行な一対のガイド面を有し、前記枠体は、前記スリットに前記差し込み部を挿入する際に前記ガイド面にガイドされる被ガイド面を備えることを特徴とする請求項１記載の撮像用羽根駆動装置。
【請求項３】
前記スリットの入口側の横幅は、前記前枠部の外周径の１／２より大きいことを特徴とする請求項１又は２記載の撮像用羽根駆動装置。
【請求項４】
前記差し込み部の幅Ｗ（ｍｍ）は、前記開口の直径Ｃ（ｍｍ）に対して、Ｗ＞Ｃ＋０．５の関係であることを特徴とする請求項１〜３のいずれか１項記載の撮像用羽根駆動装置。
【請求項５】
前記スリットの入口側の縦幅は、前記差し込み部の厚さの２倍より小さいことを特徴とする請求項１〜４のいずれか１項記載の撮像用羽根駆動装置。
【請求項６】
前記スリットは、入口側の横幅に対して出口側の横幅が小さいことを特徴とする請求項１〜５のいずれか１項記載の撮像用羽根駆動装置。
【請求項７】
前記スリットは、前記差し込み部の先端が露出しないように出口側にカバー部が設けられ、前記カバー部の内部には、前記差し込み部の先端を保持する保持部が設けられていることを特徴とする請求項１〜６のいずれか１項記載の撮像用羽根駆動装置。
【請求項８】
前記差し込み部が挿入される前記前側のレンズと前記後側のレンズの間のレンズ間隔をＬｔとし、前記羽根のそれぞれの光軸方向厚さを、前記羽根が１枚の場合はｔ１、前記羽根が２枚の場合はｔ１，ｔ２、前記羽根が３枚の場合はｔ１，ｔ２，ｔ３とし、前記差し込み部における羽根室の光軸方向空間幅をｒとして、下記の関係が成立することを特徴とする請求項１〜７のいずれか１項記載の撮像用羽根駆動装置。
記
前記羽根の枚数が１枚の場合；
２×ｒ≦Ｌｔ、３×ｒ＞Ｌｔ、２×ｔ１≦Ｌｔ
前記羽根の枚数が２枚の場合；
２×ｒ≒Ｌｔ、２×（ｔ１＋ｔ２）≒ｒ
前記羽根の枚数が３枚の場合；
２×ｒ＞Ｌｔ、２×（ｔ１＋ｔ２＋ｔ３）≧ｒ
【請求項９】
前記羽根は、遮光羽根であることを特徴とする請求項１〜８のいずれか１項記載の撮像用羽根駆動装置。
【請求項１０】
前記羽根は、光量調整用の絞り羽根であることを特徴とする請求項１〜８のいずれか１項記載の撮像用羽根駆動装置。
【請求項１１】
前記羽根は、光学フィルタであることを特徴とする請求項１〜７のいずれか１項記載の撮像用羽根駆動装置。
【請求項１２】
前記光学フィルタが、２枚の保護羽根で挟まれたフィルタを備え、
前記差し込み部が挿入される前記前側のレンズと前記後側のレンズの間のレンズ間隔をＬｔとし、前記差し込み部における羽根室の光軸方向空間幅をｒとして、下記の関係が成立することを特徴とする請求項１１記載の撮像用羽根駆動装置。
記
２×ｒ＞Ｌｔ、２×（フィルタと保護羽根の合計厚さ）＞ｒ
【請求項１３】
前記羽根駆動装置は、前記羽根を段階的又は無段階に駆動することを特徴とする請求項１〜１２のいずれか１項記載の撮像用羽根駆動装置。
【請求項１４】
請求項１〜１３のいずれか１項に記載の撮像用羽根駆動装置を備えた撮像装置。
【請求項１５】
請求項１〜１３のいずれか１項に記載の撮像用羽根駆動装置を備えた携帯電子機器。
【発明の詳細な説明】
【技術分野】
【０００１】
本発明は、レンズ枠に羽根駆動装置を組み付けた撮像用羽根駆動装置に関するものである。
【背景技術】
【０００２】
レンズ枠の側面にスリットを設け、羽根駆動装置の駆動部から開口を有する差し込み部（地板）を突出させ、この差し込み部をレンズ枠のスリットに挿入することで、レンズ枠と羽根駆動装置を一体に組み付ける撮像用羽根駆動装置が知られている（特許文献１参照）。【０００３】
従来の撮像用羽根駆動装置は、一対の地板からなる差し込み部に絞り羽根を摺動自在に保持する羽根室が設けられており、レンズ枠に保持される複数レンズの間に差し込み部を挿入することで、差し込み部の開口を複数レンズの光軸上に配置し、レンズ枠の外側に配置される駆動部の動作で、羽根室内の絞り羽根を摺動させて、絞り量を制御している。
【先行技術文献】
【特許文献】
【０００４】
【特許文献１】特開２０１７−４０８１４号公報
【発明の概要】
【発明が解決しようとする課題】
【０００５】
このような撮像用羽根駆動装置は、レンズ枠の側面に設けたスリットに、羽根駆動装置の駆動部から突出した差し込み部を挿入する際に、薄板状の差し込み部に曲げ応力が加わらないように円滑に挿入することができれば、レンズ枠と羽根駆動装置との組み付け作業性を改善することが可能になる。【０００６】
本発明は、このような課題に対処するために提案されたものである。すなわち、複数のレンズを保持するレンズ枠の側面にスリットを設け、このスリットに、羽根駆動装置の羽根が収容される差し込み部を挿入する撮像用羽根駆動装置において、差し込み部を円滑にスリットに挿入できるようにすることで、組み付けの作業性を改善すること、などが本発明の課題である。
【課題を解決するための手段】
【０００７】
このような課題を解決するために、本発明は、以下の構成を具備するものである。
複数のレンズを保持するレンズ枠と、該レンズ枠に組み付けられる羽根駆動装置を備え、前記レンズ枠は、前側のレンズが保持される前枠部と、該前枠部に対して拡径された段部を有して後側のレンズが保持される後枠部と、前記段部に沿って前記前枠部の側面に形成されている一対のスリットと、前記スリットの外側で前記前枠部と前記後枠部を連結する連結部とを備え、前記羽根駆動装置は、枠体と、前記レンズの光軸上に配置される開口を有すると共に前記羽根を収容し、前記スリットに挿入されるべく前記枠体から突出した差し込み部を備え、前記枠体は、前記後枠部の光軸方向と垂直な面と当接する当接面を備えることを特徴とする撮像用羽根駆動装置。
【図面の簡単な説明】
【０００８】
【図１】本発明の一実施形態に係る撮像用羽根駆動装置の説明図（（ａ）が平面図であり、（ｂ）が正面図）である。
【図２】本発明の一実施形態に係る撮像用羽根駆動装置においてレンズ枠と羽根駆動装置が分離した状態を示す説明図（（ａ）が平面図、（ｂ）がＸ１−Ｘ１断面図）である。
【図３】本発明の一実施形態に係る撮像用羽根駆動装置におけるレンズ枠に羽根駆動装置を組み付けた状態の断面図である。
【図４】本発明の他の実施形態に係る撮像用羽根駆動装置の説明図（（ａ）が平面図、（ｂ）がＸ２−Ｘ２断面図）である。
【図５】本発明の他の実施形態に係る撮像用羽根駆動装置の説明図（（ａ）が平面図、（ｂ）がＸ３−Ｘ３断面図）である。
【図６】羽根駆動装置の内部構造を示す分解斜視図である。
【図７】レンズ間隔と羽根駆動装置の差し込み部の寸法関係を示した説明図である。
【図８】本発明の実施形態に係る撮像用羽根駆動装置を備えた撮像装置を示した説明図である。
【図９】本発明の実施形態に係る撮像用羽根駆動装置を備えた撮像装置を具備した携帯電子機器（携帯情報端末）を示した説明図である。
【発明を実施するための形態】
【０００９】
以下、図面を参照して本発明の実施形態を説明する。以下の説明で、異なる図における同一符号は同一機能の部位を示しており、各図における重複説明は適宜省略する。
【００１０】
図１〜図３に示すように、撮像用羽根駆動装置１は、レンズ枠１Ａと、レンズ枠１Ａに組み付けられる羽根駆動装置１Ｂを備えている。レンズ枠１Ａは、複数のレンズＬ１，Ｌ２，Ｌ３，Ｌ４，Ｌ５を保持しており、前側のレンズ（レンズ群）Ｌ１，Ｌ２が保持される前枠部１Ａ１と、後側のレンズ（レンズ群）Ｌ３，Ｌ４，Ｌ５が保持される後枠部１Ａ２と、一対のスリット１Ａ３，１Ａ４と、一対のスリット１Ａ３，１Ａ４の外側で前枠部１Ａ１と後枠部１Ａ２を連結する連結部１Ａ５を備えている。
【００１１】
レンズ枠１Ａの後枠部１Ａ２は、前枠部１Ａ１に対して拡径された段部ａを有している。この段部ａには、レンズの光軸に垂直な支持面を備えている。また、レンズ枠１Ａのスリット１Ａ３，１Ａ４は、段部ａに沿って前枠部１Ａ１の側面に形成されている。そして、連結部１Ａ５は、スリット１Ａ３，１Ａ４への挿入方向に平行な一対のガイド面ｂを有している。
【００１２】
これに対して、羽根駆動装置１Ｂは、枠体３と、レンズＬ１〜Ｌ５の光軸Ｏ上に配置される開口ｃを有すると共に羽根を収容し、スリット１Ａ３，１Ａ４に挿入されるべく枠体３から突出した差し込み部１Ｂ１を備えている。そして、枠体３は、前述したガイド面ｂにガイドされる一対の被ガイド面ｄを備えており、また、前述した段部ａの支持面に当接する当接面ｆを備えている。更に、枠体３は、凹部３Ａを備えており、凹部３Ａ内にレンズ枠１Ａの一部が収容される。差し込み部１Ｂ１は、凹部３Ａ内に突出している。なお、図２（ｂ）の断面図は、枠体３及び差し込み部１Ｂ１の内部の記載を省略している。
【００１３】
このような撮影用羽根駆動装置１は、レンズ枠１Ａにおける一対のスリット１Ａ３，１Ａ４に羽根駆動装置１Ｂの差し込み部１Ｂ１を挿入することで、レンズ枠１Ａに羽根駆動装置１Ｂを組み付けることができる。
【００１４】
この際に、レンズ枠１Ａの段部ａにおける支持面に羽根駆動装置１Ｂの枠体３における当接面ｆが当接することで、羽根駆動装置１Ｂは、光軸Ｏに垂直な姿勢を保持した状態で差し込み部１Ｂ１をスリット１Ａ３，１Ａ４に挿入することができる。これによって、円滑にスリット１Ａ３，１Ａ４に差し込み部１Ｂ１を挿入することができる。
【００１５】
更に、レンズ枠１Ａには、スリット１Ａ３，１Ａ４の挿入方向に平行な一対のガイド面ｂが設けられており、羽根駆動装置１Ｂには、ガイド面ｂにガイドされる一対の被ガイド面ｄが設けられているので、ガイド面ｂに対して被ガイド面ｄをガイドさせた状態で摺動させることで、更に円滑に、スリット１Ａ３，１Ａ４に差し込み部１Ｂ１を挿入することができる。なお、ガイド面ｂと被ガイド面ｄとは、挿入時に接触しても接触しなくても良い。
【００１６】
ここで、レンズ枠１Ａは、スリット１Ａ３の横幅（入口側の横幅）Ｗ１を、前枠部１Ａ１の外周径Ｄの１／２より大きく（Ｗ１＞２×Ｄ／２）している。当然ながら、スリット１Ａ３の横幅Ｗ１は、差し込み部１Ｂ１の横幅Ｗ２より大きく設定されているが、このように幅広のスリット１Ａ３を設けることで、スリット１Ａ３の内面に接触すること無く、差し込み部１Ｂ１をスリット１Ａ３に挿入することができる。
【００１７】
また、差し込み部１Ｂ１の横幅をＷ（ｍｍ）とし、差し込み部に形成される開口ｃの直径をＣ（ｍｍ）とすると、Ｗ＞Ｃ＋０．５とすることが好ましい。このよう差し込み部１Ｂ１の横幅を開口ｃの直径に対して十分に確保することで、差し込み部１Ｂ１の強度を確保でき、挿入時の差し込み部１Ｂ１の変形などを抑止することができる。
【００１８】
レンズ枠１Ａにおいては、一対のガイド面ｂ間の中央位置が、スリット１Ａ３の中央位置と一致しており、羽根駆動装置１Ｂにおいては、一対の被ガイド面ｄ間の中央位置が差し込み部１Ｂ１の中央位置になっている。これによって、レンズ枠１Ａのガイド面ｂに羽根駆動装置１Ｂの被ガイド面ｄが当接している状態では、羽根駆動装置１Ｂの差し込み部１Ｂ１は、レンズ枠１Ａのスリット１Ａ３の中央に位置決めされている。なお、ガイド面ｂと被ガイド面ｄとは常時当接していなくても良い。
【００１９】
また、スリット１Ａ３の縦幅（入口側の縦幅）Ｈ１は、差し込み部１Ｂ１の厚さＨ２の２倍より小さく設定されている。当然ながら、スリット１Ａ３の縦幅Ｈ１は、差し込み部１Ｂ１の厚さＨ２より大きいので、Ｈ２＜Ｈ１＜２×Ｈ２の大小関係になっている。このようにスリット１Ａ３の縦幅Ｈ１の大きさを設定することで、スリット１Ａ３へ差し込み部１Ｂ１を円滑に挿入できると共に、スリット１Ａ３を介したレンズ枠１Ａ内への光の進入を抑えることができる。
【００２０】
そして、レンズ枠１Ａにおける段部ａの支持面に、羽根駆動装置１Ｂの枠体３における当接面ｆが支持されることで、差し込み部１Ｂ１をスリット１Ａ３，１Ａ４に挿入する際だけでなく、挿入後にも羽根駆動装置１Ｂは、光軸Ｏに対して垂直に保持されることになり、差し込み部１Ｂ１に設けられる開口ｃを光軸Ｏに対して垂直に配置して、光量を適正に調整することができる。
【００２１】
図４及び図５は、他の実施形態に係る撮像用羽根駆動装置１を示している。図４に示した撮像用羽根駆動装置１は、入口側であるスリット１Ａ３の横幅Ｗ１に対して、出口側であるスリット１Ａ４の横幅Ｗ３を小さくしている。幅狹のスリット１Ａ４には、先細りにした差し込み部１Ｂ１の先端部が挿入される。このように出口側のスリット１Ａ４の横幅Ｗ３を設定することで、入口側のスリット１Ａ３に対して差し込み部１Ｂ１を円滑に挿入できるようにしながら、挿入後の差し込み部１Ｂ１の位置決めを、スリット１Ａ４の横幅Ｗ３と差し込み部１Ｂ１の先端幅との関係でリジッドにすることができる。
【００２２】
図５に示した撮像用羽根駆動装置１は、スリット１Ａ４の外側にカバー部ｅを設けることで、差し込み部１Ｂ１の先端が露出しないようにしており、カバー部ｅの内部には、差し込み部１Ｂ１の先端を保持する保持部ｅ１が設けられている。このようなカバー部ｅを設けることで、スリット１Ａ４を介したレンズ枠１Ａ内への光の進入を抑えることができると共に、保持部ｅ１で差し込み部１Ｂ１の先端を保持することで、挿入後の差し込み部１Ｂ１の位置決めをリジッドにすることができる。
【００２３】
図６は、羽根駆動装置１Ｂの内部構造を示している。図において、矢印Ｚ方向は光軸方向（羽根駆動装置の厚さ方向）を指し、矢印Ｘは羽根の移動方向を指し、矢印Ｙ方向はＸ，Ｙ方向に直交する方向を指している。
【００２４】
羽根駆動装置１Ｂは、駆動部材２、枠体３、羽根支持体４、羽根５（５Ｘ，５Ｙ）を備えている。枠体３は、ベース枠１０と、ベース枠１０を覆うカバー枠１１とにより構成され、内部に駆動部材２を収容する駆動枠室３Ｓを形成している。駆動部材２は、ベース枠１０の支持面１０Ａ上に移動自在に支持され、平面上を移動することで羽根５（５Ｘ，５Ｙ）を移動させる。
【００２５】
駆動部材２と枠体３には、駆動源であるマグネット２０とコイル２１が取り付けられている。図６の例では、駆動部材２にマグネット２０が取り付けられ、枠体３（カバー枠１１）にコイル２１が取り付けられており、配線基板（フレキシブル基板）２２を介してコイル２１に通電することで駆動部材２が図示Ｘ方向に往復移動する。駆動部材２は、支持面１０Ａの支持溝１０Ｂに支持されるベアリング２３を介して移動自在に支持されている。また、配線基板２２には、マグネット２０と対応する位置に、駆動部材２又は羽根５（５Ｘ，５Ｙ）の動きを検知するホール素子（検知部材）３０が配置されている。
【００２６】
駆動部材２には、直接又は連結部材７を介して羽根５（５Ｘ，５Ｙ）が連結されている。図６に示す例では、枠体３内に連結部材７が軸支されている。連結部材７は、中央の軸支部７Ａがベース枠１０の軸１０Ｐに軸支され、両端の連結部７Ｂが、羽根支持体４の長孔４Ｂを通って、羽根５Ｘ，５Ｙの連結孔５Ｂにそれぞれ連結され、中央に近い連結部７Ｃが、羽根支持体４の長孔４Ｃを通って、駆動部材２に連結されている。これにより、駆動部材２がＸ方向に沿って直線的に往復移動すると、連結部材７が軸１０Ｐの周りに回動し、連結部７Ｂに連結されている羽根５Ｘ，５ＹがＸ方向に沿って互いに逆向きに移動する。
【００２７】
羽根５（５Ｘ，５Ｙ）は、羽根支持体４に支持されている。羽根支持体４は、薄厚状の金属板等からなる一対の羽根支持板１２，１３によって構成されている。一対の薄厚部材である羽根支持板１２，１３は、羽根５（５Ｘ，５Ｙ）を挟んで周縁の段部４Ｔが貼り合わせられ、内部に羽根５（５Ｘ，５Ｙ）を収容する羽根室４Ｓを形成している。
【００２８】
羽根支持体４は、差し込み部１Ｂ１において、枠体３の厚さ方向（図示Ｚ方向）に沿った光軸周りの開口ｃを有している。羽根５（５Ｘ，５Ｙ）は、駆動部材２によって移動して開口ｃに進入する。図示の例では、羽根５（５Ｘ，５Ｙ）は、開口５Ａを有しており、図示Ｘ方向の移動で開口ｃ内での開口５Ａの重なり度合いが可変に調整される。
【００２９】
図示の例を更に詳細に説明すると、ベース枠１０の突起１０Ｑは、羽根支持体４の孔４Ｑに嵌合することで、羽根支持体４をベース枠１０に係止しており、更に突起１０Ｑは、羽根支持体４に支持される羽根５（５Ｘ，５Ｙ）のガイド孔（長孔）５Ｑに挿入することで、羽根５（５Ｘ，５Ｙ）の移動をガイドしている。また、枠体３内（ベース枠１０）には、羽根５を初期位置で保持し、ベース枠１０に対して駆動部材２を光軸方向に吸引するための磁性体２４が配置されている。
【００３０】
図６に示す例では、羽根駆動装置１Ｂは、開口ｃを通過する光の光量を可変に調整する絞り装置として機能する。前述した駆動部材２の移動による連結部材７の回動によって、開口ｃが全開になった状態から、開口ｃ内での開口５Ａの重なりによって、開口面積が絞れられた状態に変化する。図示の例では、絞り装置の例を示しているが、羽根駆動装置１は、羽根５（５Ｘ，５Ｙ）を遮光羽根として、その重なりで開口ｃを全閉にして、開口ｃを通過する光を遮光するシャッタ装置として機能することもできるし、羽根５（５Ｘ，５Ｙ）を開口５Ａの端部に光の波長又は光量を制限するフィルタを取り付けた光学フィルタにして、フィルタ装置として機能することもできる。なお、羽根５の駆動は無段階に駆動することもできるし、段階的に駆動することもできる。
なお、羽根駆動装置１Ｂの内部構造は、図６に示すものに限らない。例えば、マグネット２０及びコイル２１の配置などが異なったものであってもよいし、構成する部品の点数などが異なっていても良い。
【００３１】
図７は、羽根駆動装置１Ｂの差し込み部１Ｂ１の内部部品の光軸方向厚さと、差し込み部１Ｂ１が挿入されるレンズ間隔との関係を示している。２つのレンズのレンズ間に羽根駆動装置１Ｂの差し込み部１Ｂ１を挿入する撮像用羽根駆動装置１においては、レンズ群の光学設計上は、レンズ間隔を可能な限り狭くする設計が望ましいが、差し込み部１Ｂ１を挿入する関係上、差し込み部１Ｂ１の内部部品の光軸方向厚さとレンズ間隔は、適正な寸法関係にする必要がある。
【００３２】
ここで、図７に示すように、差し込み部１Ｂ１が挿入される前側のレンズＬ２と後側のレンズＬ３の間のレンズ間隔をＬｔとし、羽根５のそれぞれの光軸方向厚さを、図示のように羽根５（５Ｘ，５Ｙ）が２枚の場合はｔ１，ｔ２、羽根５が３枚の場合はそれぞれｔ１，ｔ２，ｔ３とし、羽根室４Ｓの光軸方向空間幅をｒとする場合には、下記の関係が成立するように寸法設計を行うことが好ましい。
【００３３】
羽根５の枚数が１枚（厚さｔ１）の場合；
２×ｒ≦Ｌｔ、３×ｒ＞Ｌｔ、２×ｔ１≦Ｌｔ
【００３４】
羽根５の枚数が２枚（各厚さｔ１，ｔ２）の場合；
２×ｒ≒Ｌｔ、２×（ｔ１＋ｔ２）≒ｒ
【００３５】
羽根５の枚数が３枚（各厚さｔ１，ｔ２，ｔ３）の場合；
２×ｒ＞Ｌｔ、２×（ｔ１＋ｔ２＋ｔ３）≧ｒ
【００３６】
なお、羽根５の換わりに光学フィルタを配置し、光学フィルタが２枚の保護羽根で挟まれたフィルタである場合には、以下のようにすることが好ましい。
２×ｒ＞Ｌｔ、２×（フィルタと保護羽根の合計厚さ）＞ｒ
【００３７】
また、羽根室４Ｓが一対の板状の羽根支持板の間に中間体を配置して形成されている場合には、中間体の光軸方向厚さｍが羽根室４Ｓの光軸方向空間幅ｒになるので、上記の関係は以下のように書き換えることができる。
【００３８】
羽根５の枚数が１枚（厚さｔ１）の場合；
２×ｍ≦Ｌｔ、３×ｍ＞Ｌｔ、２×ｔ１≦Ｌｔ
【００３９】
羽根５の枚数が２枚（各厚さｔ１，ｔ２）の場合；
２×ｍ≒Ｌｔ、２×（ｔ１＋ｔ２）≒ｍ
【００４０】
羽根５の枚数が３枚（各厚さｔ１，ｔ２，ｔ３）の場合；
２×ｍ＞Ｌｔ、２×（ｔ１＋ｔ２＋ｔ３）≧ｍ
【００４１】
また、羽根５の換わりに光学フィルタを配置し、光学フィルタが２枚の保護羽根で挟まれたフィルタである場合には、以下のようにすることが好ましい。
２×ｍ＞Ｌｔ、２×（フィルタと保護羽根の合計厚さ）＞ｍ
【００４２】
上記のような関係で、羽根５の光軸方向厚さｔ１，ｔ２，ｔ３と、羽根室４Ｓの光軸方向空間幅ｒ（ｍ）と、差し込み部１Ｂ１が挿入されるレンズ間隔Ｌｔの関係を設定することで、レンズＬ２，Ｌ３間に円滑に差し込み部１Ｂ１を挿入することができると共に、差し込み部１Ｂ１内に形成された羽根室４Ｓ内の羽根５を円滑に動作させることができる。
【００４３】
図８は、撮像用羽根駆動装置１を備えた光学ユニットとしての撮像装置１００を示している。羽根駆動装置１Ｂは、前述したようにレンズ枠１Ａに組み付けて、撮像素子１０１が搭載された筐体１００Ａに実装することで、撮像蔵置１００を構成することができる。また、他の光学部品に対して羽根駆動装置１Ｂを組み付けることで、各種の光学ユニットを得ることができる。このような撮像装置１００或いは光学ユニットは、薄厚化が可能であり、光軸方向に沿った設置スペースを省スペース化することができる。また、レンズ枠１Ａなどの調整を行った後に羽根駆動装置１Ｂを組み付けて一体化することができるので、簡易且つ精度の高い調整が可能であり、且つ羽根駆動装置１Ｂを一体化した簡易な実装が可能になる。
【００４４】
図９は、前述した撮像装置１００を備える携帯電子機器（携帯情報端末）２００を示している。スマートホンなどの携帯電子機器２００は、内部に実装するユニットの厚さが厳しく制限されるが、前述した撮像装置１００は、レンズ枠１Ｂの厚さ内に羽根駆動装置１Ｂを収めて組み付けることで薄厚化を可能にするので、高い携帯性或いはデザイン性を追求した携帯電子機器２００にスペース効率よく実装することができる。なお、本実施例の枠体３の内部に配置される部材は、ベース枠１０の片側から順に組みつけられるように配置位置および形状が設計されている。
【００４５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。特に、前述した実施形態では、羽根駆動装置１の枠体３と羽根支持体４とを別部材で構成しているが、枠体３と一体に羽根支持体４を構成して、枠体３内の駆動枠室３Ｓと羽根支持体４内の羽根室４Ｓを仕切りによって分離することもできる。
【符号の説明】
【００４６】
１：撮像用羽根駆動装置，１Ａ：レンズ枠，１Ｂ：羽根駆動装置，
１Ａ１：前枠部，１Ａ２：後枠部，
１Ａ３，１Ａ４：スリット，１Ａ５：連結部，
１Ｂ１：差し込み部，
２：駆動部材，３：枠体，３Ａ：凹部，３Ｓ：駆動枠室，
４：羽根支持体，４Ｂ，４Ｃ：長孔，
４Ｓ：羽根室，４Ｔ：段部,４Ｑ：孔， 
５（５Ｘ，５Ｙ）：羽根，５Ａ：開口，５Ｂ：連結孔，
５Ｑ：ガイド孔，７：連結部材，７Ａ：軸支部，７Ｂ，７Ｃ：連結部，
１０：ベース枠，１０Ａ：支持面，１０Ｂ：支持溝，
１０Ｐ：軸，１０Ｑ：突起，１１：カバー枠，１２，１３：羽根支持板，
２０：マグネット（駆動源），２１：コイル（駆動源），
２２：配線基板（フレキシブル基板），２３：ベアリング，２４：磁性体，
３０：ホール素子（検出部材），
１００：カメラ，１００Ａ：筐体，１０１：撮像素子，
２００：携帯電子機器（携帯情報端末），
ａ：段部（支持面），ｂ：ガイド面，ｃ：開口，ｄ：被ガイド面，
ｅ：カバー部，ｆ：当接面，Ｏ：光軸，
Ｗ１，Ｗ２，Ｗ３：横幅，Ｄ：外周径，
Ｈ１：縦幅，Ｈ２：厚さ，Ｌ１〜Ｌ５：レンズ
【図１】
2019065540.tif 000003
【図２】
2019065540.tif 000004
【図３】
2019065540.tif 000005
【図４】
2019065540.tif 000006
【図５】
2019065540.tif 000007
【図６】
2019065540.tif 000008
【図７】
2019065540.tif 000009
【図８】
2019065540.tif 000010
【図９】
2019065540.tif 000011
【国際調査報告】
2019065540.tif 000012
2019065540.tif 000013